(57)【要約】【課題】  より薄型の載置台を有して僅かに浮上させた耕耘装置の下側に滑り込ませることを可能とし、耕耘装置の様々なメーカーや型式、種類等の違いに対応可能とした耕耘装置用台車を提供する。【解決手段】  キャスター２１を配した載置板２裏面の略中央に、奥行調節杆４と掛着支持杆５とからなるＬ型骨格部３の該奥行調節杆を、奥行方向に進退可能に支持する奥行案内路２３を設け、該掛着支持杆の上端に、耕耘装置Ｆの尾輪フレームＦ１を嵌着可能な把持機構７を設けると共に、同掛着支持杆の中途適所に昇降調節機構６を設け、走行操作用の左右ハンドル９を突設してなるものとした耕耘装置用台車１である。【選択図】    図１
2005192434.tif 000002
【特許請求の範囲】
【請求項１】
底面外周付近の均衡する四箇所以上にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、載置対象とする耕耘装置の尾輪フレーム外周面に適宜嵌着可能な把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとしたことを特徴とする耕耘装置用台車。
【請求項２】
底面四角付近の夫々にキャスターを配した載置板を有し、同載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、載置対象とする耕耘装置の尾輪フレーム外周面に適宜嵌着可能な把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとし、トラクター後部に装着され、浮上姿勢とした耕耘装置の下側に載置板を挿入し、耕耘装置を降下させて載置板上に搭載した上、奥行調節杆を奥行案内路に沿って進退調節し、且つ昇降調節機構によって掛着支持杆の高さを調節して把持機構を、同耕耘装置尾輪フレームに対応させるよう位置調節、仮固定して嵌着、把持した後に耕耘装置をトラクター等の車両から切離し、分離された耕耘装置を搭載した状態のまま、走行移動させて適所に保管し、再度使用する際には、その逆の操作でトラクター後部耕耘装置に連結した上、載置板を耕耘装置下から引き出して分離するようにしたことを特徴とする耕耘装置用台車。
【請求項３】
農業用機械の耕耘装置を載置可能な大きさの鋼板製であって、その底面四角付近の夫々にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、掛着支持杆上端から載置板上に向けて略水平状に延伸され、それに連続する先端が、同掛着支持杆の壁面との間に載置対象となる耕耘装置の尾輪フレームを抱持可能とするよう鉛直状下向きに延伸された上側把持片と、同上側把持片が抱持した尾輪フレームの下面より僅かに下側に、掛着支持杆の壁面から略水平方向に埋没可能に突出して、上側把持片との間に尾輪フレームを把持可能とする係止ピンとからなる把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとしたことを特徴とする耕耘装置用台車。
【請求項４】
農業用機械の耕耘装置を載置可能な大きさの鋼板製であって、その底面四角付近の夫々にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、該掛着支持杆上端から載置板上に向けて略水平状に延伸され、それに連続する中途部分が、掛着支持杆の壁面との間に耕耘装置の尾輪フレームを抱持可能とするよう鉛直下向きに延伸され、更にその先端を、尾輪フレームの下面を保持可能とするよう掛着支持杆側に向けて略水平状に延伸した上側把持片を有し、同上側把持片を掛着支持杆上端に対して載置板上に向けて略水平状にスライド移動可能であり、しかも該上側把持片が掛着支持杆の壁面との間に耕耘装置の尾輪フレームを抱持した任意の位置で仮固定可能とした把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとしたことを特徴とする耕耘装置用台車。
【請求項５】
農業用機械の耕耘装置を載置可能な大きさの鋼板製であって、その底面四角付近の夫々にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、該掛着支持杆の上端付近から、耕耘装置の尾輪フレーム下面を支持可能とするよう、載置板上に向けて略水平状に延伸された下側把持片と、同掛着支持杆の上端に、上下昇降および仮固定可能な挟着機構を介して配され、載置板上に向けて略水平状に延伸され、それに連続する先端が、掛着支持杆の壁面との間に耕耘装置の尾輪フレームを抱持可能とするよう略鉛直下向きに延伸された上側把持片とからなる把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとしたことを特徴とする耕耘装置用台車。
【請求項６】
農業用機械の耕耘装置を載置可能な大きさの鋼板製であって、その底面四角付近の夫々にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、該掛着支持杆の上端から、載置板上へ向けて略水平状に延伸され、搭載対象となる耕耘装置の尾輪フレーム上側面に当接状となる基端側中途部分を有し、その先端が鉛直下方に折曲され、掛着支持杆との間に尾輪フレームの前後壁面を挟持状とするよう配置された固定把持片、および該固定把持片の天面に設けられ、載置板上に向けて略水平方向に貫通する装着枠部に対し、摺動自在に装着した装着用基端部の載置板側となる端部から、固定把持片の先端を越えて鉛直下方に延伸された先端が、尾輪フレーム下面を越える辺りで、掛着支持杆側に向けて略水平状に折曲された可動把持片から形成され、把持固定ピンを貫通状に装着することによって仮固定される把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとしたことを特徴とする耕耘装置用台車。
【請求項７】
Ｌ型骨格部は、奥行調節杆が、載置板奥行案内路から脱抜、分離可能であり、しかも掛着支持杆に対して折畳みあるいは分離可能とする折畳み機構もしくは連結機構を、奥行調節杆と掛着支持杆との間に設けたものとしてなる、請求項１ないし７何れか一項記載の耕耘装置用台車。
【発明の詳細な説明】
【技術分野】
【０００１】    この発明は、農業用機械に関連するあらゆる分野をその技術分野とするものであって、農業用機械を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。
【背景技術】
【０００２】  （視  点）
トラクター等の農業用機械には、ロータリーやハローといった耕耘装置を脱着自在に装着して圃場の耕耘や田の荒起こし、代掻き等の農作業を行うことができるようになっているが、こうした耕耘装置は何れも、数百ｋｇに及ぶ重量物であり、一度農業用機械から分離させてしまうと、一人の作業者では運搬することが殆ど不可能なものとなってしまい、必ず複数人の人手を揃えて、倉庫に運び込むこととなり、再度使用する場合にも、やはり複数人の作業者によって倉庫から運び出し、農業用機械の所まで移動させ、更に、装着に好適な姿勢と高さ位置に耕耘装置を持ち上げながら連結しなければならないものであり、大変な苦労と危険性を伴う作業となってしまうことが避けられないものであった。【０００３】  （従来の技術）
こうした弊害を解消しようとして、例えば実開平５−９２０４２号公報に示された、キャスターを取付けた架台の上部に耕耘装置を搭載可能とする受け台を設け、搭載された耕耘装置を位置決め固定する位置決め用部材を設けてなり、トラクターの後部に連結されている耕耘装置を十分に浮上させて受け台上に載置させると共に、位置決め部材の長さを調節してそのフックを耕耘装置の横棒部分に係合させて移動不能に位置決めすることにより、耕耘装置を農業用機械から容易に分離することができるようにした「産業用台車」神山・蒔田考案があるが、様々な機械類を搭載可能とする目的から、該位置決め部材に長さ調節手段を設け、自由な揺動操作を可能とする構造としたことにより、耕耘装置を安定させるための構造を、受け台の谷型形状によって実現するものとしているので、キャスターによって支えられた架台上に谷型の受け台を搭載すると、その合計高さ寸法は、かなり大きなものとなってしまい、受け台上に搭載する際の耕耘装置の上昇操作量が大幅に増加し、特にワンタッチヒッチでの耕耘装置の離脱作業および装着作業が非常に困難なものとなってしまうか、あるいは全く不可能となってしまうことがあるという欠点があった。【０００４】    また、特開平１０−１９１７１０号公報に開示された、上部に耕耘装置の伝導管を掴むべく、受け板および押え具で固定可能とし、受け板から下方のギアケースを連結棒で繋ぎ、その下にスタンドを設けると共に、連結棒の下部に角度調節ができるネジを設けたことにより、農業用機械から耕耘装置を離脱させた瞬間に前後に倒れたり、角度が変わってしまうのを防止する「農用トラクタの耕耘部支持台」五十嵐発明が既に開発済みであるが、下部にキャスターを有する骨格状の比較的太いスタンドを有している故に、耕耘装置の支持高さが比較的高い位置に設定されてしまうため、やはり前者と同様に、ワンタッチヒッチでの耕耘装置の脱着作業に際しては、利用するのが非常に困難なものであった。
【特許文献１】（１）実開平５−９２０４２号公報  （２）特開平１０−１９１７１０号公報
【発明の開示】
【発明が解消しようとする課題】
【０００５】  （問題意識）
以上のように従前までに開発された耕耘装置の支持台は、何れもスタンドや架台および受け台の高さが、最適なものとはいえず、特にワンタッチヒッチによるロータリーやハローの脱着の際等には、耕耘装置を十分に上昇させることが困難なため、支持台自体が使用不可能な場合も発生してしまう虞れがあり、しかも高い位置に設定された受け台に搭載された耕耘装置は、横転の虞れもあるため特に走行移動させる場合に、周囲や路面の状況に注意を払い、不要な傾きが発生しないように押し引き移動させなければならないという欠点もあり、農業機械や耕耘装置のメーカーの違いや、出力による大型、小型の違いあるいは、ハローやロータリー等の種類の違いにも広く対応可能であって農業用機械によって僅かに浮上させた姿勢の耕耘装置を、簡便且つ確実に搭載可能とする支持台の早期実用化が、切望されているというのが実情であった。
【０００６】  （発明の目的）
そこで、この発明は、骨格フレーム下にキャスターを設けていた従前までの構造を廃止し、より薄型の載置台を有して農業用機械によって僅かに浮上させた耕耘装置の下側に容易に滑り込ませることを可能とし、様々なメーカーや型式、種類等の違いに対応可能とした台車を実現させることはできないものかとの判断から、逸速くその開発、研究に着手し、長期に渡る試行錯誤と幾多の試作、実験とを繰り返してきた結果、今回、遂に新規な構造の耕耘装置用台車を実現化することに成功したものであり、以下では、図面に示すこの発明を代表する実施例と共に、その構成を詳述することとする。
【課題を解決するための手段】
【０００７】  （発明の構成）
図面に示すこの発明を代表する実施例からも明確に理解されるように、この発明に包含される耕耘装置用台車は、基本的に次のような構成から成り立っている。
即ち、底面外周付近の均衡する四箇所以上にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、載置対象とする耕耘装置の尾輪フレーム外周面に適宜嵌着可能な把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとした構成を要旨とする耕耘装置用台車である。
【０００８】    この発明の耕耘装置用台車を、表現を換えて示すと、底面四角付近の夫々にキャスターを配した載置板を有し、同載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、載置対象とする耕耘装置の尾輪フレーム外周面に適宜嵌着可能な把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとし、トラクター後部に装着され、浮上姿勢とした耕耘装置の下側に載置板を挿入し、耕耘装置を降下させて載置板上に搭載した上、奥行調節杆を奥行案内路に沿って進退調節し、且つ昇降調節機構によって掛着支持杆の高さを調節して把持機構を、同耕耘装置尾輪フレームに対応させるよう位置調節、仮固定して嵌着、把持した後に耕耘装置をトラクター等の車両から切離し、分離された耕耘装置を搭載した状態のまま、走行移動させて適所に保管し、再度使用する際には、その逆の操作でトラクター後部耕耘装置に連結した上、載置板を耕耘装置下から引き出して分離するようにした耕耘装置用台車であるということができる。
【０００９】    この基本的な構成からなるこの発明の耕耘装置用台車には、農業用機械の耕耘装置を載置可能な大きさの鋼板製であって、その底面四角付近の夫々にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、掛着支持杆上端から載置板上に向けて略水平状に延伸され、それに連続する先端が、同掛着支持杆の壁面との間に載置対象となる耕耘装置の尾輪フレームを抱持可能とするよう鉛直状下向きに延伸された上側把持片と、同上側把持片が抱持した尾輪フレームの下面より僅かに下側に、掛着支持杆の壁面から略水平方向に埋没可能に突出して、上側把持片との間に尾輪フレームを把持可能とする係止ピンとからなる把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとした構成からなる耕耘装置用台車を包含している。
【００１０】    更に、同様に、農業用機械の耕耘装置を載置可能な大きさの鋼板製であって、その底面四角付近の夫々にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、該掛着支持杆上端から載置板上に向けて略水平状に延伸され、それに連続する中途部分が、掛着支持杆の壁面との間に耕耘装置の尾輪フレームを抱持可能とするよう鉛直下向きに延伸され、更にその先端を、尾輪フレームの下面を保持可能とするよう掛着支持杆側に向けて略水平状に延伸した上側把持片を有し、同上側把持片を掛着支持杆上端に対して載置板上に向けて略水平状にスライド移動可能であり、しかも該上側把持片が掛着支持杆の壁面との間に耕耘装置の尾輪フレームを抱持した任意の位置で仮固定可能とした把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとした耕耘装置用台車であるとすることができる。
【００１１】    同様に、農業用機械の耕耘装置を載置可能な大きさの鋼板製であって、その底面四角付近の夫々にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、該掛着支持杆の上端付近から、耕耘装置の尾輪フレーム下面を支持可能とするよう、載置板上に向けて略水平状に延伸された下側把持片と、同掛着支持杆の上端に、上下昇降および仮固定可能な挟着機構を介して配され、載置板上に向けて略水平状に延伸され、それに連続する先端が、掛着支持杆の壁面との間に耕耘装置の尾輪フレームを抱持可能とするよう略鉛直下向きに延伸された上側把持片とからなる把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとした耕耘装置用台車も包含される。
【００１２】    さらにまた、農業用機械の耕耘装置を載置可能な大きさの鋼板製であって、その底面四角付近の夫々にキャスターを配した載置板を有し、該載置板の左右方向略中央には、同所の前後方向に設けてある奥行案内路に対し、水平状姿勢で前後出し入れ可能になる奥行調節杆と、同載置板への組込み方向と反対側となる奥行調節杆基端から略鉛直状に立設された掛着支持杆とからなるＬ型骨格部が、その奥行調節杆を、当該載置板の前後方向に進退調節および仮固定可能にして組み込まれるようにする一方、Ｌ型骨格部の掛着支持杆上端には、該掛着支持杆の上端から、載置板上へ向けて略水平状に延伸され、搭載対象となる耕耘装置の尾輪フレーム上側面に当接状となる基端側中途部分を有し、その先端が鉛直下方に折曲され、掛着支持杆との間に尾輪フレームの前後壁面を挟持状とするよう配置された固定把持片、および該固定把持片の天面に設けられ、載置板上に向けて略水平方向に貫通する装着枠部に対し、摺動自在に装着した装着用基端部の載置板側となる端部から、固定把持片の先端を越えて鉛直下方に延伸された先端が、尾輪フレーム下面を越える辺りで、掛着支持杆側に向けて略水平状に折曲された可動把持片から形成され、把持固定ピンを貫通状に装着することによって仮固定される把持機構を設けると共に、同掛着支持杆の中途適所に、載置板上面から把持機構までの距離を変更および仮固定可能とする昇降調節機構を設け、同掛着支持杆の中途には走行操作用の左右ハンドルを突設してなるものとした構成の耕耘装置用台車も含むものである。
【発明の効果】
【００１３】    以上のとおり、この発明の耕耘装置用台車によれば、何よりも先ず、略平面形状に形成され、その底面外周付近の均衡する複数箇所に走行移動用のキャスターを配してなる載置板によって農業用機械の耕耘装置を載置可能としたことにより、従前までの太い骨格フレームを組み合わせ、その下部にキャスターを設けて作られていたものに比較して、搭載面の高さを大幅に低く設定することが可能となり、上昇操作が困難な耕耘装置であっても、またメーカーや大型、小型あるいはハローやロータリー等の種類の違いがあったとしても、様々な違いに対応して安定に搭載、支持することができ、また、載置板裏面の略中央にＬ型骨格部の奥行調節杆を装着するために設けられた奥行案内路が、載置板を補強するものとなり、数百ｋｇもの重量物である耕耘装置を安定且つ安全に搭載可能とすることができるものとなり、しかも奥行調節杆と奥行案内路、および掛着支持杆の昇降調節機構により、把持機構が、搭載された耕耘装置の尾輪フレームを最適な位置で把持することが可能となり、農業用機械への脱着作業に好適な姿勢のまま搭載、移動ならびに保管することができるものとなり、耕耘装置の脱着利用および運搬保管の一連の作業を簡便で安全且つ効率的なものとすることができるという秀れた特徴が得られるものである。
【発明を実施するための最良の形態】
【００１４】    上記したとおりの構成からなるこの発明の実施に際し、その最良もしくは望ましい形態について説明を加えることにする。
載置板は、搭載の対象となる農業用機械の耕耘装置を僅かに浮上させた姿勢状態のときに、同耕耘装置の下に挿入可能であり、しかも降下させた耕耘装置を安定に載置し、農業用機械から分離された耕耘装置を搭載して走行、移動操作可能とする機能を果たすものであり、耕耘装置を載置可能な面積を有する略平面形状のものとし、底面外周付近の均衡する四箇所以上に走行移動用のキャターを配して上面をできるだけ低く水平設定されたものとしなければならず、耕耘装置の平面形状に略相応する形状および面積を確保可能な略長方形状の鋼板製のものとし、その底面四角付近の夫々にキャスターを設けたものとするのが望ましく、外周縁に沿って下向きに突設された補強枠を形成したり、上面全体に渡って補強リブや滑り止め用の凹凸形状等を形成したものとすることができる。【００１５】    奥行案内路は、Ｌ型骨格部の奥行調節杆を、載置板底面の略中央付近に対して、同載置板の奥行方向に進退調節および任意の位置に仮固定可能とする機能を果たし、掛着支持杆の把持機構を、載置板上に搭載される複数種類の耕耘装置の異なる尾輪フレームに悉く対応可能とするに十分な案内路長寸法を確保したものとしなければならず、奥行調節杆の進退方向断面形状に摺動自在に嵌合可能な案内路として奥行調節杆の軸心回り（摺動方向に直交する方向）に回動不能とするよう支持し、これによってＬ型骨格部を載置板に対し横転させない状態に立設、支持可能なものとすべきであり、載置板底面の中央付近に、直線管路状あるいは溝路状の突条部分を一体形成して載置板自体を裏面から補強する機能を付加したものとすることができる。【００１６】    キャスターは、農業用機械に連結され僅かに浮上姿勢となっている耕耘装置の下側に、地上（床）面を滑動させるように載置板を滑り込ませることを可能とし、農業用機械から分離した耕耘装置を搭載した載置板を、安定して走行移動可能とするよう転動自在に支持する機能を果たすものであり、載置板底面の外周付近の均衡する四箇所以上に配されたものとし、その全体で数百ｋｇにも及ぶ耕耘装置を安全に支持し且つ走行移動可能とする耐久強度を有するものとしなければならず、何れか一個または複数個もしくは全てに任意に操作自在なストッパ機構やブレーキ機構等を添設したものとすべきである。【００１７】    Ｌ型骨格部は、載置板上に搭載された耕耘装置の後部上側に形成されている尾輪フレームを、所望の高さ位置に掛着状に支持可能としてトラクター等の車両後部への脱着作業に好都合な姿勢のまま耕耘装置を仮固定的に保持可能とする機能を果たし、載置板底部中央に形成された奥行案内路に沿って装着される奥行調節杆と、該奥行調節杆の載置板から外れた基端から略鉛直上方に立設された掛着支持杆とから形成され、奥行調節杆によって載置板に対する奥行方向の位置変更を可能とし、掛着支持杆の中途適所に形成された昇降調節機構によって同掛着支持杆上端側に設けられた把持機構の上下高さを適宜変更、調節可能としたものとしなければならず、該掛着支持杆の適所には、左右に突出するハンドルを配してこれらハンドルからの入力を載置板底面の各キャスターに伝えて移動操作可能なものとすべきであり、必要に応じて奥行調節杆と掛着支持杆とを折畳みもしくは分解可能とし、更に、奥行調節杆を載置板の奥行案内路から取り外し可能な構造とすることができる。【００１８】    奥行調節杆は、載置板に対する掛着支持杆の立設位置を、同載置板の奥行方向に移動、調節ならびに任意の奥行位置に仮固定可能とすると共に、該掛着支持杆を、載置板に対して略鉛直状に立設させ、不用意に横転してしまわないよう強固に支持する機能を果たし、載置板裏面に形成された奥行案内路に沿って、進退自在に装着され、任意の位置に仮固定可能なものとしなければならないが、十分な強度を確保できる場合には、奥行調節杆自体に奥行方向の伸縮機構を組み込み、その先端側を、載置板の奥行方向端か、または裏面適所等に固着、あるいは脱着自在に取着、固定したものとすることが可能である。【００１９】    掛着支持杆は、載置板上に搭載された耕耘装置の尾輪フレームを、トラクター等の車両に連結されたときと略同様の姿勢に掛着した状態に支持可能とするものであり、しかもロータリーやハロー等、様々な耕耘装置のフレーム位置に対応可能とするよう、高さ寸法を適宜調節可能とする機能を果たすものであり、載置板から外れて突出する奥行調節杆の基端に、鉛直状の姿勢を維持するよう強固に立設されたものとし、上端側適所には尾輪フレームを挟持可能な把持機構を設け、その下方適所には昇降調節機構ならびに左右ハンドルを夫々配したものとしなければならず、奥行調節杆に対して折畳み可能か、あるいは分離可能な組立て構造を有するものとすべきであり、把持機構や左右ハンドル等を脱着または折畳み可能な構造とするのが望ましい。【００２０】    把持機構は、載置板上に搭載された耕耘装置の尾輪フレームを、最適な位置で挟持して、掛着支持杆上端付近に、仮固定状に掛着可能とすると共に、ワンタッチで尾輪フレームを掛着あるいは解放可能とする機能をもち、尾輪フレームを掛着した際には、不用意に脱落しないよう十分な強度で強固に保持するものとしなければならず、しかも簡便に仮固定および解放を行えるような開閉操作機構を組み込んだものとすべきであり、より具体的には、掛着支持杆上端から載置板上に向けて略水平状に延伸され、それに連続する先端が、同掛着支持杆の壁面との間に載置対象となる耕耘装置の尾輪フレームを抱持可能とするよう鉛直状下向きに延伸された上側把持片と、同上側把持片が抱持した尾輪フレームの下面より僅かに下側に、掛着支持杆の壁面から略水平方向に埋没可能に突出して、上側把持片との間に尾輪フレームを把持可能とする係止ピンとからなるものとすることができる外、掛着支持杆上端から載置板上に向けて略水平状に延伸され、それに連続する中途部分が、掛着支持杆の壁面との間に耕耘装置の尾輪フレームを抱持可能とするよう鉛直下向きに延伸され、更にその先端を、尾輪フレームの下面を保持可能とするよう掛着支持杆側に向けて略水平状に延伸した上側把持片を有し、同上側把持片を掛着支持杆上端に対して載置板上に向けて略水平状にスライド移動可能であり、しかも該上側把持片が掛着支持杆の壁面との間に耕耘装置の尾輪フレームを抱持した任意の位置で仮固定可能としたものとすることが可能である。【００２１】    また同把持機構は、掛着支持杆の上端付近か��、耕耘装置の尾輪フレーム下面を支持可能とするよう、載置板上に向けて略水平状に延伸された下側把持片と、同掛着支持杆の上端に、上下昇降および仮固定可能な挟着機構を介して配され、載置板上に向けて略水平状に延伸され、それに連続する先端が、掛着支持杆の壁面との間に耕耘装置の尾輪フレームを抱持可能とするよう略鉛直下向きに延伸された上側把持片とからなるものとすることができる。【００２２】    同様に、掛着支持杆の上端から、載置板上へ向けて略水平状に延伸され、搭載対象となる耕耘装置の尾輪フレーム上側面に当接状となる基端側中途部分を有し、その先端が鉛直下方に折曲され、掛着支持杆との間に尾輪フレームの前後壁面を挟持状とするよう配置された固定把持片、および該固定把持片の天面に設けられ、載置板上に向けて略水平方向に貫通する装着枠部に対し、摺動自在に装着した装着用基端部の載置板側となる端部から、固定把持片の先端を越えて鉛直下方に延伸された先端が、尾輪フレーム下面を越える辺りで、掛着支持杆側に向けて略水平状に折曲された可動把持片から形成され、把持固定ピンを貫通状に装着することによって仮固定される把持機構とすることも可能である。【００２３】    昇降調節機構は、掛着支持杆上端付近に設けられた把持機構の載置板上面に対する高さを、上下昇降自在に調節可能とすると共に、任意の高さ位置に仮固定可能とする機能を果たし、例えば、筒状に形成された掛着支持杆の上端開口から、上端に把持機構を組み込んだ昇降杆の下端を上下摺動自在に挿入し、掛着支持杆の上端付近の周壁面に略水平状に貫通する一個の位置決め孔を穿孔し、この位置決め孔に、該昇降杆の上下複数箇所に略均等配置となるよう水平状に貫通された複数個の調節孔の何れか任意の一個を合致させて、これら位置決め孔と調節孔とに仮固定ピンを貫通させることにより、上下寸法を適宜調節、仮固定可能なものとすることができる外、掛着支持杆の上端側適所に鉛直状の送りネジを設け、その送りネジ上端から、ナットを内蔵した昇降杆の下端を螺合、装着して該ナットもしくは昇降杆自体を回転操作することにより、上端に把持機構を設けた昇降杆を送りネジに沿って昇降移動可能とし、更に、緩み止め用のナットを追加することにより、任意の高さ位置に仮固定可能としたものとすることができる。【００２４】    左右ハンドルは、掛着支持杆を介して載置板に走行移動力を入力可能とする機能を果たすものであり、掛着支持杆の昇降調節機構の障害とならない外壁面に設けられたものとし、載置板上に重量の嵩む耕耘装置を搭載した状態で平均身長の作業者が押し引き操作容易な高さ位置に突設したものとしなければならず、繰り返して加えられる入力に十分に耐え得る耐久強度を有するものとすべきであり、掛着支持杆の前後何れか一方の壁面にか、あるいは左右側壁面かの何れかに設けたものとすることが可能であり、取付け高さを利用者の身長に合わせて変更、調節可能としたものとすることができる外、掛着支持杆に対して折畳みもしくは分解、組み立て可能な構造とし、左右の把持部には夫々握持およぶ滑り止めに好適な合成ゴムや発泡樹脂製等の弾性素材からなるグリップを装着したものとするのが望ましい。
以下では、図面に示すこの発明を代表する実施例と共に、その構造について詳述することとする。
【実施例１】
【００２５】    図１の耕耘装置用台車の斜視図、図２の昇降調節機構を分解した掛着支持杆要部の斜視図、図３の載置板裏面の奥行案内路を示す斜視図に示される事例は、農業用機械の耕耘装置Ｆを載置可能な平面寸法および形状に設定され、底面外周付近の均衡する四箇所に走行移動用のキャスター２１，２１，……を配した載置板２を有し、同載置板２裏面の略中央に、矩形断面棒状で略水平状姿勢となる奥行調節杆４と、その載置板２から外れた基端から略鉛直状に立設された掛着支持杆５とからなるＬ型骨格部３の該奥行調節杆４を、該平板面の奥行方向に進退調節および仮固定可能に支持する奥行案内路２３を設け、該掛着支持杆５の上端に、載置対象となる耕耘装置Ｆの尾輪フレームＦ１外周面に適宜嵌着可能な把持機構７を設けると共に、同掛着支持杆５の中途適所に、載置板２上面から把持機構７までの距離を変更および仮固定可能とする昇降調節機構６を設け、同掛着支持杆５の中途適所外側面から、走行操作用の左右ハンドル９，９を突設してなるものとしたこの発明に包含される耕耘装置用台車における代表的な実施例を示すものである。【００２６】    当該耕耘装置用台車１は、トラクターや耕耘機その外の農業用機械に連結して、圃場の耕起や水田の荒起こしや代掻き等に使用されるロータリーやハロー等の耕耘装置Ｆを、メーカーや型式の大型、小型の違いに拘らず、何れのものでも載置可能とする、左右幅１０９５ｍｍ前後、奥行６０５ｍｍ前後の寸法に設定された平面長方形状の鋼板製であり、その裏面四角付近には、付属するレバー（図示せず）を押し下げ操作することによって車輪を仮固定し、引き上げ操作することにより、転輪の仮固定を解除可能とする停止機構が組み込まれた走行移動用のキャスター２１，２１，……を夫々装着した載置板２を有し、該載置板２外周縁の略全周に渡り、キャスター２１，２１，……や、地上面等に干渉しない寸法に設定された補強リブ２２が、下向きに突設されたものとなっている。【００２７】    載置板２の底面略中央には、図３中に示すように、後述するＬ型骨格部３の一部を形成する矩形棒型の奥行調節杆４を、略水平姿勢であってしかも該棒形状の長さ方向に摺動自在に装着可能とするよう、縦断面形が矩形筒型に形成された奥行案内路２３を、同載置板２の長方形状の短辺に略平行に配置された状態に熔接することによって一体化されたものとし、該奥行案内路２３の下面もまた、キャスター２１，２１，……や、地上面等に干渉しないよう寸法の設定がなされており、更に、同奥行案内路２３の一方端が、補強リブ２２を貫通して開口され、その開口左右縁からは、一対の仮固定用舌片２４，２４が、載置板２から後方に突出された状態に設けられ、これら仮固定用舌片２４，２４の互いに一致する中央付近には、仮止めピン２５が脱抜可能に貫通、装着されたものとなっている。【００２８】    Ｌ型骨格部３は、前記奥行案内路２３に対し奥行方向に摺動自在に嵌合可能な矩形断面棒状であって、該奥行案内路２３に十分な強度をもって連結可能とする長さ寸法に設定され、その長さ方向に沿って略等間隔を隔てた水平状の貫通孔４１，４１，……が複数穿孔されてなる奥行調節杆４と、該奥行調節杆４の基端にボルト・ナット４２に��って下端を連結することにより、略鉛直に立設された矩形筒型棒状であって上方所定箇所に左右ハンドル９および昇降調節機構６を形成し、上端に把持機構７を設けてなる掛着支持杆５とから形成され、該奥行調節杆４は、その先端から奥行案内路２３に進退自在に嵌合、装着されて任意の奥行き位置で仮固定用舌片２４，２４に対応した何れか一個の貫通孔４１に仮止めピン２５を貫通させることにより、奥行方向の移動が不能となるよう仮固定可能なものとなっており、該仮止めピン２５の貫通突出して露出状となった先端には、図示しないスナップピンや割ピン等を脱着自在に装着して脱落防止の対策を施すものとなっている。【００２９】    掛着支持杆５は、下端が奥行調節杆４に連結され、上端付近の外周面に左右ハンドル９の中央部が適宜一体化され、図２中に示すように、上端付近の左右方向から貫通するピン孔６１を穿孔した矩形筒型棒状の走行操作杆５１、および、上下所定長さに設定され、該走行操作杆５１の上端開口から、矩形断面棒状に形成された下端を嵌合、装着可能であって、その上下に渡って複数の昇降調節孔６３，６３，……が、略等間隔毎に水平に貫通された昇降杆６２からなり、同昇降杆６２の適宜選択した任意の昇降調節孔６３を走行操作杆５１のピン孔６１に合致させて位置決めピン６４を貫通、装着することにより、掛着支持杆５の中途適所に把持機構７の高さを自在に変更、調節可能とする昇降調節機構６が形成されたものとなっている。【００３０】    前記左右ハンドル９は、一本の鋼棒の左右端に比較的軟質な合成ゴム製のグリップを装着し、図示していないが、鋼棒の中央付近を、走行操作杆５１上端付近の載置板２とは反対側となる外壁面に直接熔接して一体化されたものとするか、あるいは鋼棒の中央付近に複数の取付け孔を穿孔するか、もしくは取付け孔を有する舌片を一体形成し、走行操作杆５１上端付近の外壁面に熔接されたナットか、取付け孔を有する取着片に対してボルト（およびナット）を用いて、脱着自在または折畳み自在に装着したものとなっている。【００３１】    昇降杆６２の上端には、載置板２上に向けて略水平状に延伸され、それに連続する先端を、昇降杆６２（または走行操作杆５１）の壁面との間に載置対象となる耕耘装置Ｆの尾輪フレームＦ１を抱持可能とするよう鉛直下向きに延伸させた上側把持片７１を設け、同昇降杆６２の上側把持片７１が抱持した尾輪フレームＦ１の下面より僅かに下側となる位置には、昇降調節孔６３，６３，……に略直交状の向きに貫通され、昇降杆６２側壁面から略水平方向に埋没可能に突出して、上側把持片７１との間に尾輪フレームＦ１を把持可能とする係止ピン７２を貫通させたことによって把持機構７が形成されている。
この耕耘装置用台車１は、奥行調節杆４を奥行案内路２３に沿ってスライド移動させることにより、載置板２の先端面から、反対側の奥行調節杆４の基端までの間の寸法を、７７５ｍｍ前後から９２５ｍｍ前後までの間で任意に変更、調節可能とする寸法設定がなされており、また、昇降調節機構６によって掛着支持杆５の上下寸法は、８３５ｍｍ前後から９３５ｍｍ前後までの間で任意に調節可能なよう各部の寸法設定がなされたものとなっている。【００３２】    また昇降杆６２は、図７の係止ピン形状を変更した把持機構の斜視図に示されるもに変更することが可能であり、同図中の昇降杆６２上端に設けられた把持機構７は、その係止ピン７２が横転Ｕ字状もしくは略コ字型に折曲形成されており、その上端側の水平棒状部分を、上側把持片７１天面に固着されたガイド管７３に摺動自在に装着し、下端側の水平棒状部分を昇降杆６２の壁面に埋没させるよう引き抜操作した際に係止ピン７２が、昇降杆６２から不用意に脱落してしまうのを阻止可能なものとなっている。
【実施例２】
【００３３】    この発明の耕耘装置用台車１には、図８の構造に変更を加えた把持機構の斜視図に示すような昇降杆６２を装着したものも含まれるものであり、該昇降杆６２の上端には、載置板２上に向けて開口する略水平状の矩形筒型に形成され、その左右側壁面に略水平な肉厚方向に貫通する仮固定孔６６を穿孔した保持枠部６５が一体形成され、同保持枠部６５には、載置板２上側から矩形断面形棒状に形成され、その長さ方向に沿う所定間隔毎の複数箇所夫々に左右に貫通する位置決め用の把持位置調節孔８１，８１，……を穿孔した基端部分を、摺動自在に嵌合するよう挿し込み、同基端部分から載置板２上に向けて略水平状に延伸された中途部分が、昇降杆６２（走行操作杆５１）の壁面との間に耕耘装置Ｆの尾輪フレームＦ１を抱持可能とするよう鉛直下向きに延伸され、更にその先端を、尾輪フレームＦ１の下面を保持可能とするよう、昇降杆６２（走行操作杆５１）側に向けて略水平状に延伸した上側把持片７１を設け、同上側把持片７１の基端部分を、昇降杆６２上端の保持枠部６５に対して載置板２上に向けて略水平状にスライド移動可能とし、該上側把持片７１が昇降杆６２かまたは走行操作杆５１の壁面との間に耕耘装置Ｆの尾輪フレームＦ１を抱持した際に、仮固定孔６６と同仮固定孔６６に重なる何れか一個の把持位置調節孔８１とに把持固定ピン８を、脱抜可能に挿し込んで該上側把持片７１を、昇降杆６２に対して任意の位置に仮固定可能とするものとなっている。
【実施例３】
【００３４】    また、この発明の耕耘装置用台車１の掛着支持杆５における把持機構７は、図９の構造に変更を加えた掛着支持杆の斜視図に示すように、上側把持片７１を上方に離脱可能なものとすることが可能であり、その昇降杆６２は、上端を開口した矩形筒状に形成され、上下中途適所から下側にかけて、複数の昇降調節孔６３，６３，……が左右方向に貫通するよう穿孔されており、上端付近の載置板２側となる側面には、同側壁面に熔接によって結合される結合面を有し、その下端から載置板２上に向けて略水平状に延伸され、耕耘装置Ｆの尾輪フレームＦ１下面を支持可能とするよう形成された、所定幅板状の下側把持片７４が突設されていると共に、同昇降杆６２の上端付近には左右方向に貫通する仮固定孔７５が穿孔されたものとなっている。【００３５】    昇降杆６２の上端開口には、所定寸法の矩形棒状体からなるその上端に、耕耘装置Ｆの尾輪フレームＦ１上面に当接可能となるよう、載置板２上に向けて略水平状に延伸された上、それに連続する先端が、昇降杆６２の壁面との間に尾輪フレームＦ１を抱持可能とするよう、略鉛直下向きに延伸された上側把持片７１を一体形成した装着棒７６の下端が、脱抜自在に嵌合、装着されており、上側把持片７１と下側把持片７４との間に耕耘装置Ｆの尾輪フレームＦ１を抱持した際に、昇降杆６２上端付近の仮固定孔７５に対応する装着棒７６側壁面には、同仮固定孔７５に連通可能な貫通孔が穿孔されており、これらに把持固定ピン８を脱抜可能に挿し込むことにより、上下把持片７１，７４を互いに仮固定可能としたものとなっている。
【実施例４】
【００３６】    更にまた、この発明の耕耘装置用台車１の掛着支持杆５における把持機構７は、図１０の把持機構に変更を加えた掛着支持杆の斜視図に示すように、昇降杆６２上端に結合され、載置板２上側へ向けて略水平状に延伸され、耕耘装置Ｆの尾輪フレームＦ１上側面に当接状となる基端側中途部分を有し、その先端が尾輪フレームＦ１の上下寸法を越えない長さ寸法をもって鉛直下方に折曲され、昇降杆６２との間に尾輪フレームＦ１の前後側壁面を挟持状とするよう配置、形成された固定把持片７７と、該固定把持片７７の天面略中央に、載置板２上側に向けて略水平方向に貫通する矩形筒型枠状をなすよう一体形成され、昇降杆６２の昇降調節孔６３，６３，……と平行な左右方向に貫通する鈎止め孔を穿孔した装着枠部７８に対し、載置板２上側から略水平方向に向けて嵌合、装着可能とする短角柱型であってその左右側壁面には、装着枠部７８に装着された際に鈎止め孔に同心状の配置となる、水平状の貫通孔が穿孔された嵌合、装着用基端部を有し、同装着用基端部の載置板２側となる端部から、固定把持片７７の先端を越えて、更に鉛直下方に延伸された先端が、尾輪フレームＦ１の下面を越える付近で、昇降杆６２側に向けて水平状に折曲された可動把持片７９とから形成され、固定把持片７７装着枠部７８の鈎止め孔と可動把持片７９装着用基端部の貫通孔とに、把持固定ピン８を貫通状に装着することによって可動把持片７９が、固定把持片７７に固着状に連結されるものとなっており、固定把持片７７および可動把持片７９の尾輪フレームＦ１に当接する壁面の要所要所には、合成ゴムや発泡ウレタン等の弾性素材製の滑り止めあるいは緩衝用の弾性シートＳを夫々貼着したものとなっている。【００３７】    同図１０中の把持固定ピン８は、その基端部分に、バネ材製針金の中央部分を折り曲げ、その両端を固定ピン径方向中心に向けて挿し込むことによって固定ピン軸心に直交状となる方向に回動自在に軸着したものとすると共に、折曲した針金中央部分を、装着枠部７８の外側上方を迂回して把持固定ピン８基端部分とは反対側となる同装着枠部７８の鈎止め孔から突出（露出）した同把持固定ピン８先端に弾性的に掛着可能とするよう折曲、成型してなる脱落防止スプリング８２を設けたものとなっており、奥行調節杆４の仮止めピン２５や昇降調節機構６の位置決めピン６４等の各部のピン部品に、同一寸法形状の把持固定ピン８を互換性をもって利用したものとすることができる。【００３８】  （実施例の作用）
以上のとおりの構成からなるこの発明の耕耘装置用台車１は、図示しないトラクター等の農業用機械の後部に連結され、地上から僅かに浮上する姿勢に支持されている耕耘装置Ｆの下側に、図４の耕耘装置下側に載置板を挿入する耕耘装置用台車の斜視図中に白抜き矢印で示すように、載置板２を滑り込ませ、耕耘装置Ｆを最も安定に搭載可能な位置に配置させ、不用意な滑動移動を避けるためにキャター２１，２１，……を仮止めし、図３中に示すように、Ｌ型骨格部３の奥行調節杆４を奥行案内路２３に沿って奥行方向に進退移動させながら、把持機構７が耕耘装置Ｆの尾輪フレームＦ１に対応する奥行配置となるよう調整して仮止めピン２５を挿し込んで固定すると共に、図５の尾輪フレームを抱持する把持機構の斜視図に示すように、Ｌ型骨格部３の掛着支持杆５における走行操作杆５１に対して昇降杆６２を上下動させて把持機構７の上側把持片７１が尾輪フレームＦ１に係合状となる高さ位置に調節して、図２中に示す、位置決めピン６４を挿し込み、その先端にスナップピンまたは割ピン等の抜け止めを装着する。【００３９】    上側把持片７１の水平状中途部分に上面を、同上側把持片７１の下向きに延伸された先端と、昇降杵６２の載置板２側壁面との間に前後側面を、夫々包囲された尾輪フレームＦ１の下面の僅か下方に、図５中に白抜き矢印で示すように、係止ピン７２を押し込み操作することによって載置板２上に向けて略水平状に突出させ、上側把持片７１と係止ピン７２とによって尾輪フレームＦ１を脱落不能に把持させて当該耕耘装置用台車１上に耕耘装置Ｆを安定に搭載した後に、耕耘装置Ｆを農業用機械から切り離し、図６の耕耘装置を搭載した耕耘装置用台車の斜視図に示すように、耕耘装置Ｆを運搬移動可能な状態としてから、周囲の安全を確認して各キャター２１，２１，……の仮止めを解除し、左右ハンドル９，９を確りと掴んで押し引き移動させることにより、重量物である耕耘装置Ｆを倉庫等の格納場所に簡便に移動させることが可能となり、再度各キャター２１，２１，……を仮止めして収納作業を終えることとなる。【００４０】    このようにして格納された耕耘装置Ｆを、再び使用する際には、各キャスター２１，２１，……の仮止めを解除し、農業用機械の後部まで走行移動させると、載置板２上に搭載された耕耘装置Ｆは、把持機構７によって離脱当初の姿勢を正確に維持したままとなっているので、３点リンクやオートヒッチ等の連結箇所の困難な位置合わせ作業が不要となり、そのまま難無く耕耘装置Ｆを農業用機械に接続することが可能であり、完全な連結状態を確認した後に、把持機構７の係止ピン７６を引き抜き、尾輪フレームＦ１の下面を解放して昇降調節機構６の位置決めピン６４を引き抜いて昇降杆６２を上昇させ、上側把持片７１を尾輪フレームＦ１から離脱させて耕耘装置Ｆ自体を、農業用機械によって浮上制御してから、耕耘装置用台車１を耕耘装置Ｆ下から引き出して耕耘装置Ｆの農業用機械への装着作業を完了することとなる。【００４１】    更に、該耕耘装置用台車１を用いて再度、同一の耕耘装置Ｆを搭載する場合には、Ｌ型骨格部３の奥行調節杆４の奥行案内路２３に対する進退調節は不要であり、そのまま利用することが可能となり、メーカーや大きさ、形式の異なる耕耘装置Ｆを搭載する場合には、その都度、奥行調節杆４の奥行調節、および昇降調節機構６等を適宜調節するところから行う必要がある。【００４２】    また、把持機構７を、図７中に示す構造に変更した場合には、係止ピン７２の上側となる水平棒状部分が、上側把持片７１天面に一体に設けられたガイド杆７３によって摺動移動範囲に渡り、案内されるので係止ピン７２の不用意な脱落を阻止して抜き挿し操作を、より確実なものとすることが可能となる。【００４３】    更に、把持機構７を図８中に示すような構造のものとすると、中途水平部分の下面を耕耘装置Ｆの尾輪フレームＦ１上面に当接状とした上側把持片７１を、保持枠部６５に沿ってスライド操作するだけで、一気に尾輪フレームＦ１の略全周を抱持させてしまうことが可能となり、該尾輪フレームＦ１を確実に保持可能な任意位置で、仮固定孔６６に一致する把持位置調節孔８１に把持固定ピン８を貫通させるだけで耕耘装置Ｆの姿勢を正確に維持することが可能であり、把持機構７から尾輪フレームＦ１を解放する際には、把持操作とは逆に、把持固定ピン８を脱抜して上側把持片７１を、保持枠部６５に沿って載置板２側にスライド操作し、完全に上側把持片７１を保持枠部６５から抜き外してしまうか、もしくは、上側把持片７１を完全には抜き取らず、位置決めピン６４を抜き取って走行操作杆５１に対し、昇降杆６２を上昇させるかすることにより、尾輪フレームＦ１を解放することが可能となる。【００４４】    また、把持機構７を図９中に示す構造とすると、昇降杆６２を昇降調節して下側把持片７４を、耕耘装置Ｆの尾輪フレームＦ１の下面に当接する位置で仮固定し、装着棒７６を昇降杆６２の上端に対して昇降移動させて上側把持片７１の中途水平部分を尾輪フレームＦ１の上面に当接状とし、同上側把持片７１の鉛直下方に延伸された先端部分によって装着棒７６および昇降杆６２またはそれら何れかとの間に尾輪フレームＦ１の前後壁面を抱持するよう調整し、昇降杆６２と装着棒７６とに把持固定ピン８を貫通するよう装着して仮固定することで耕耘装置Ｆの姿勢を維持するものとなり、尾輪フレームＦ１を解放する場合には、把持固定ピン８を引き抜いて装着棒７６を昇降杆６２上方にスライド移動させて尾輪フレームＦ１を離脱可能に解放することとなる。【００４５】    更にまた、把持機構７を図１０に示した構造とすると、固定把持片７７の中途部分下面を尾輪フレームＦ１の上面に当接するよう昇降杆６２を降下、調節して仮固定すると、同固定把持片７７の先端が、尾輪フレームＦ１を昇降杆６２との間に把持する状態となって可動把持片７９を、装着するまでの間に耕耘装置Ｆが転倒してしまうのを阻止するものとなり、可動把持片７９の装着用基端部を、載置板２上側から固定把持片７７の装着枠部７８に水平方向に向けて装着し、把持固定ピン８を左右何れか一方から貫通させて脱落防止スプリング８２を、装着枠部７８上部に鞍跨り状とするよう回動操作して同把持固定ピン８頭部とは反対側であって装着枠部７８の鈎止め孔から突出している同把持固定ピン８先端部分に係合させ、該把持固定ピン８が脱落しないよう装着されたものとすることにより、固定把持片７��上に可動把持片７９を仮固定し、該可動把持片７９の先端が、尾輪フレームＦ１の下面を確実に保持するものとなる。【００４６】    このようにして固定把持片７７の水平状中途部分下面および鉛直姿勢の先端部分ならびに同先端部分に対峙する昇降杆６２壁面と、可動把持片７９の水平姿勢の先端部分上面とによって尾輪フレームＦ１の周囲を、脱落不能に保持して耕耘装置Ｆを転倒、転落しないよう所望の姿勢状態のままに支持するものとなり、また、搭載中に渡り常に横転しようとする耕耘装置Ｆの荷重が、尾輪フレームＦ１を介して把持機構７に伝えられているものであるが、その荷重の殆どは、昇降杆６２に一体化された固定把持片７７によって保持され、可動把持片７９は、尾輪フレームＦ１の下方への脱落のみを阻止するものとなっているので、把持固定ピン８に加わる剪断荷重を軽減するものとなる。更に把持固定ピン８の脱落防止スプリング８２が、把持機構７から脱抜分離されたときにも、把持固定ピン８との一体構造を維持できるので、別体のスナップピンや割ピン等のように不用意に落下させてしまうようなことを防止でき、しかも把持固定ピン８の仮固定と仮固定の解除とをワンタッチ操作で行うことができるものとなる。【００４７】  （実施例の効果）
以上のような構成からなる各実施例の耕耘装置用台車１は、前記この発明の効果の項で記載の特徴に加え、載置板２裏面に奥行案内路２３を設けたことの外にも、載置板２外周縁の略全周に渡り、下向きに突設された補強リブ２２を形成したことにより、鋼板製の載置板２を全体的に補強可能として、地上高寸法を低く抑えた構造でありながら、数百ｋｇに及ぶ耕耘装置Ｆを、十分な強度で搭載可能とすることができ、しかもＬ型骨格部３は、奥行調節杆４を奥行案内路２３から離脱可能であり、掛着支持杆５と奥行調節杆４もまたボルト・ナット４２を取り外すことで分解可能となっているので、生産工場での在庫管理や出荷、輸送および販売に際して省スペース化して管理、輸送コストを削減することが可能であり、購入後の不使用時にも、同様に分解、小型化して収納することができるという利点を得られることになる。【００４８】  （結  び）
叙述の如く、この発明の耕耘装置用台車は、その新規な構成によって所期の目的を遍く達成可能とするものであり、製造も比較的容易で従前からの、太いフレームによって骨格を形成していたものに比較して大幅な軽量化とコスト削減とを達成可能であり、しかも多種多様な耕耘装置に利用することができるので、複数種類の台車を開発、製造しなければならなかった従来品に比較して在庫管理や販売コストも遥かに経済的なものとすることができ、農業用機械を製造、販売する農業機械メカーやその関連業界、ならびに農業用機械を利用する農家によって高く評価され、広範に渡って利用、普及していくものになると予想される。
【図面の簡単な説明】
【００４９】    図面は、この発明の耕耘装置用台車の技術的思想を具現化した代表的な実施例を示すものである。【図１】    耕耘装置用台車を示す斜視図である。
【図２】    掛着支持杆の上部構造を分解して示す斜視図である。
【図３】    奥行案内路の配置構造を示す斜視図である。
【図４】    耕耘装置下に載置板を挿入する耕耘装置用台車を示す斜視図である。
【図５】    尾輪フレームを抱持する把持機構を示す斜視図である。
【図６】    耕耘装置を搭載した耕耘装置用台車を示す斜視図である。
【図７】    係止ピンの変形例を示す斜視図である。
【図８】    上側把持片の変形例を示す斜視図である。
【図９】    把持機構の変形例を示す斜視図である。
【図１０】    把持機構の別の変形例を示す斜視図である。
【符号の説明】
【００５０】        １      耕耘装置用台車
２      載置板
２１    同  キャスター
２２    同  補強リブ
２３    同  奥行案内路
２４    同  仮固定用舌片
２５    同  仮止めピン
３      Ｌ型骨格部
４      奥行調節杆
４１    同  貫通孔
４２    同  ボルト・ナット
５      掛着支持杆
５１    同  走行操作杆
６      昇降調節機構
６１    同  ピン孔
６２    同  昇降杆
６３    同  昇降調節孔
６４    同  位置決めピン
６５    同  保持枠部
６６    同  仮固定孔
７      把持機構
７１    同  上側把持片
７２    同  係止ピン
７３    同  ガイド管
７４    同  下側把持片
７５    同  仮固定孔
７６    同  装着棒
７７    同  固定把持片
７８    同  装着枠部
７９    同  可動把持片
８      把持固定ピン
８１    同  把持位置調節孔
８２    同  脱落防止スプリング
９      左右ハンドル
Ｆ      耕耘装置
Ｆ１    同  尾輪フレーム
Ｓ      弾性シート
【図１】
2005192434.tif 000003
【図２】
2005192434.tif 000004
【図３】
2005192434.tif 000005
【図４】
2005192434.tif 000006
【図５】
2005192434.tif 000007
【図６】
2005192434.tif 000008
【図７】
2005192434.tif 000009
【図８】
2005192434.tif 000010
【図９】
2005192434.tif 000011
【図１０】
2005192434.tif 000012